(57)【要約】【課題】  廃棄物の埋立安定性を確保でき、しかも、水浄化処理の必要な浸出水の量を減らすことができる廃棄物処理方法を提供する。【解決手段】  廃棄物からの浸出水を水浄化処理施設へと流すための浸出水集排水設備を底部に備えた廃棄物処理予定区域２に、所定量の廃棄物１０を埋め立てた後に、この埋め立てた廃棄物の上に廃棄物を覆う覆体（遮水シート１１）を設け、この埋め立てた廃棄物の上にさらに廃棄物の埋め立てを行うまでの間の廃棄物中への雨水の浸水を上記覆体で防止してから上記埋め立てた廃棄物の上にさらに所定量の廃棄物を埋め立てていくようにした。【選択図】        図２
2005087793.tif 000002
【特許請求の範囲】
【請求項１】
廃棄物からの浸出水を水浄化処理施設へと流すための浸出水集排水設備を底部に備えた廃棄物処理予定区域に、所定量の廃棄物を埋め立てた後に、この埋め立てた廃棄物の上に廃棄物を覆う覆体を設け、この埋め立てた廃棄物の上にさらに廃棄物の埋め立てを行うまでの間の廃棄物中への雨水の浸水を上記覆体で防止してから、上記埋め立てた廃棄物の上にさらに所定量の廃棄物を埋め立てていくことを特徴とする廃棄物処理方法。
【請求項２】
廃棄物処分場を区分けして形成され、廃棄物からの浸出水を水浄化処理施設へと流すための浸出水集排水設備を底部に備えた複数の廃棄物処理予定区域のうちの一又は複数の廃棄物処理予定区域に、所定量の廃棄物を埋め立てた後に、この埋め立てた廃棄物の上に廃棄物を覆う覆体を設け、その後、他の廃棄物処理予定区域において廃棄物の埋め立てを行っている間の廃棄物中への雨水の浸水を上記覆体で防止してから、上記埋め立てた廃棄物の上にさらに所定量の廃棄物を埋め立てていくことを特徴とする廃棄物処理方法。
【請求項３】
廃棄物処分場を区分けして形成され、廃棄物からの浸出水を水浄化処理施設へと流すための浸出水集排水設備を底部に備えた複数の廃棄物処理予定区域のうちの一又は複数の廃棄物処理予定区域に、所定量の廃棄物を埋め立てた後にこの埋め立てた廃棄物の上に廃棄物を覆う覆体を設け、その後、上記廃棄物を埋め立てた廃棄物処理予定区域と隣接する廃棄物処理予定区域において廃棄物の埋め立てを行っている間の廃棄物中への雨水の浸水を上記覆体で防止してから、上記埋め立てた廃棄物の上にさらに所定量の廃棄物を埋め立てていくことを特徴とする廃棄物処理方法。
【請求項４】
斜面と斜面との間に挟まれた凹地に形成された廃棄物処分場を区分けして、廃棄物からの浸出水を水浄化処理施設へと流すための浸出水集排水設備を底部に備えた複数の廃棄物処理予定区域を形成し、一方の斜面側に形成された一の廃棄物処理予定区域に所定量の廃棄物を埋め立てた後にこの埋め立てた廃棄物の上に廃棄物を覆う覆体を設けて廃棄物中への雨水の浸水を覆体で防止し、その後、他方の斜面側に形成された他の廃棄物処理予定区域に所定量の廃棄物を埋め立てた後にこの埋め立てた廃棄物の上に廃棄物を覆う覆体を設けて廃棄物中への雨水の浸水を覆体で防止し、その後、上記一の廃棄物処理予定区域に埋め立てられた廃棄物と上記他の廃棄物処理予定区域に埋め立てられた廃棄物との間の区域に所定量の廃棄物を埋め立てた後において、上記各区域に埋め立てた廃棄物の上にさらに廃棄物を埋め立てていくことを特徴とする廃棄物処理方法。
【請求項５】
斜面と斜面との間に挟まれた凹地に形成された廃棄物処分場を区分けして、廃棄物からの浸出水を水浄化処理施設へと流すための浸出水集排水設備を底部に備えた複数の廃棄物処理予定区域を形成し、一方の斜面側に形成された一の廃棄物処理予定区域から他方の斜面側に形成された他の廃棄物処理予定区域まで順々に廃棄物を埋め立てていくようにし、この際、一方の斜面側に形成された一の廃棄物処理予定区域に所定量の廃棄物を埋め立てた後にこの埋め立てた廃棄物の上に廃棄物を覆う覆体を設けて廃棄物中への雨水の浸水を覆体で防止し、その後、順次隣接する廃棄物処理予定区域に所定量の廃棄物を埋め立てた後にこの埋め立てた廃棄物の上に廃棄物を覆う覆体を設けて廃棄物中への雨水の浸水を覆体で防止していってから、他方の斜面側に形成された廃棄物処理予定区域に所定量の廃棄物を埋め立てた後にこの埋め立てた廃棄物の上に廃棄物を覆う覆体を設けて廃棄物中への雨水の浸水を覆体で防止し、その後、上記各廃棄物処理予定区域に埋め立てた廃棄物の上にさらに廃棄物を埋め立てていくことを特徴とする廃棄物処理方法。
【請求項６】
覆体上を流れる雨水を各廃棄物処理予定区域外の雨水貯留部に流す雨水排水設備を各廃棄物処理予定区域毎に設けたことを特徴とする請求項１ないし請求項５のいずれかに記載の廃棄物処理方法。
【請求項７】
各廃棄物処理予定区域を区画する区画堤の上部あるいは区画堤に沿って区画堤の近傍に雨水排水設備を設けたことを特徴とする請求項６に記載の廃棄物処理方法。
【請求項８】
廃棄物処理予定区域に埋め立てられた廃棄物の上に覆体を設けてこの覆体の上に埋め立てられる廃棄物からの浸出水を覆体の下へ通過させる浸出水降下処理を行ったことを特徴とする請求項１ないし請求項７のいずれかに記載の廃棄物処理方法。
【請求項９】
覆体として遮水シートを用い、浸出水降下処理としてこの遮水シートを取り除いてから廃棄物の上に廃棄物を埋め立てたことを特徴とする請求項８に記載の廃棄物処理方法。
【請求項１０】
覆体として遮水シートを用い、浸出水降下処理としてこの遮水シートを破いてから廃棄物の上に廃棄物を埋め立てたことを特徴とする請求項８に記載の廃棄物処理方法。
【請求項１１】
経時的に遮水性の低下するシートを覆体として用いたことを特徴とする請求項１ないし請求項７のいずれかに記載の廃棄物処理方法。
【請求項１２】
覆土を覆体として用いたことを特徴とする請求項１ないし請求項７のいずれかに記載の廃棄物処理方法。
【発明の詳細な説明】
【技術分野】
【０００１】
本発明は、廃棄物を多層に埋め立てする廃棄物処理方法に関する。
【背景技術】
【０００２】
従来、断面凹状に形成された廃棄物処分場の底部を複数の区域に分割し、この複数の廃棄物処理予定区域毎に廃棄物を埋め立てていくようにした廃棄物処理方法が知られている（例えば、特許文献１参照）。
【特許文献１】特開平６−１０６１５２号公報
【発明の開示】
【発明が解決しようとする課題】
【０００３】
しかしながら、特許文献１では、廃棄物処理予定区域の廃棄物埋立深さが深い場合には、埋め立てられた廃棄物が崩壊する可能性が高くなり、廃棄物の埋立安定性を確保できないという課題があった。
本発明は、廃棄物の埋立安定性を確保でき、しかも、水浄化処理の必要な浸出水の量を減らすことができる廃棄物処理方法を提供する。
【課題を解決するための手段】
【０００４】
本発明の請求項１に係る廃棄物処理方法は、廃棄物からの浸出水を水浄化処理施設へと流すための浸出水集排水設備を底部に備えた廃棄物処理予定区域に、所定量の廃棄物を埋め立てた後に、この埋め立てた廃棄物の上に廃棄物を覆う覆体を設け、この埋め立てた廃棄物の上にさらに廃棄物の埋め立てを行うまでの間の廃棄物中への雨水の浸水を上記覆体で防止してから、上記埋め立てた廃棄物の上にさらに所定量の廃棄物を埋め立てていくようにした。
請求項２は、廃棄物処分場を区分けして形成され、廃棄物からの浸出水を水浄化処理施設へと流すための浸出水集排水設備を底部に備えた複数の廃棄物処理予定区域のうちの一又は複数の廃棄物処理予定区域に、所定量の廃棄物を埋め立てた後に、この埋め立てた廃棄物の上に廃棄物を覆う覆体を設け、その後、他の廃棄物処理予定区域において廃棄物の埋め立てを行っている間の廃棄物中への雨水の浸水を上記覆体で防止してから、上記埋め立てた廃棄物の上にさらに所定量の廃棄物を埋め立てていくようにした。
請求項３は、廃棄物処分場を区分けして形成され、廃棄物からの浸出水を水浄化処理施設へと流すための浸出水集排水設備を底部に備えた複数の廃棄物処理予定区域のうちの一又は複数の廃棄物処理予定区域に、所定量の廃棄物を埋め立てた後にこの埋め立てた廃棄物の上に廃棄物を覆う覆体を設け、その後、上記廃棄物を埋め立てた廃棄物処理予定区域と隣接する廃棄物処理予定区域において廃棄物の埋め立てを行っている間の廃棄物中への雨水の浸水を上記覆体で防止してから、上記埋め立てた廃棄物の上にさらに所定量の廃棄物を埋め立てていくようにした。
請求項４は、斜面と斜面との間に挟まれた凹地に形成された廃棄物処分場を区分けして、廃棄物からの浸出水を水浄化処理施設へと流すための浸出水集排水設備を底部に備えた複数の廃棄物処理予定区域を形成し、一方の斜面側に形成された一の廃棄物処理予定区域に所定量の廃棄物を埋め立てた後にこの埋め立てた廃棄物の上に廃棄物を覆う覆体を設けて廃棄物中への雨水の浸水を覆体で防止し、その後、他方の斜面側に形成された他の廃棄物処理予定区域に所定量の廃棄物を埋め立てた後にこの埋め立てた廃棄物の上に廃棄物を覆う覆体を設けて廃棄物中への雨水の浸水を覆体で防止し、その後、上記一の廃棄物処理予定区域に埋め立てられた廃棄物と上記他の廃棄物処理予定区域に埋め立てられた廃棄物との間の区域に所定量の廃棄物を埋め立てた後において、上記各区域に埋め立てた廃棄物の上にさらに廃棄物を埋め立てていくようにした。
請求項５は、斜面と斜面との間に挟まれた凹地に形成された廃棄物処分場を区分けして、廃棄物からの浸出水を水浄化処理施設へと流すための浸出水集排水設備を底部に備えた複数の廃棄物処理予定区域を形成し、一方の斜面側に形成された一の廃棄物処理予定区域から他方の斜面側に形成された他の廃棄物処理予定区域まで順々に廃棄物を埋め立てていくようにし、この際、一方の斜面側に形成された一の廃棄物処理予定区域に所定量の廃棄物を埋め立てた後にこの埋め立てた廃棄物の上に廃棄物を覆う覆体を設けて廃棄物中への雨水の浸水を覆体で防止し、その後、順次隣接する廃棄物処理予定区域に所定量の廃棄物を埋め立てた後にこの埋め立てた廃棄物の上に廃棄物を覆う覆体を設けて廃棄物中への雨水の浸水を覆体で防止していってから、他方の斜面側に形成された廃棄物処理予定区域に所定量の廃棄物を埋め立てた後にこの埋め立てた廃棄物の上に廃棄物を覆う覆体を設けて廃棄物中への雨水の浸水を覆体で防止し、その後、上記各廃棄物処理予定区域に埋め立てた廃棄物の上にさらに廃棄物を埋め立てていくようにした。
請求項６は、覆体上を流れる雨水を各廃棄物処理予定区域外の雨水貯留部に流す雨水排水設備を各廃棄物処理予定区域毎に設けた。
請求項７は、各廃棄物処理予定区域を区画する区画堤の上部あるいは区画堤に沿って区画堤の近傍に雨水排水設備を設けた。
請求項８は、廃棄物処理予定区域に埋め立てられた廃棄物の上に覆体を設けてこの覆体の上に埋め立てられる廃棄物からの浸出水を覆体の下へ通過させる浸出水降下処理を行った。
請求項９は、覆体として遮水シートを用い、浸出水降下処理としてこの遮水シートを取り除いてから廃棄物の上に廃棄物を埋め立てた。
請求項１０は、覆体として遮水シートを用い、浸出水降下処理としてこの遮水シートを破いてから廃棄物の上に廃棄物を埋め立てた。
請求項１１は、経時的に遮水性の低下するシートを覆体として用いた。
請求項１２は、覆土を覆体として用いた。
【発明の効果】
【０００５】
本発明の請求項１に係る廃棄物処理方法によれば、覆体の上に廃棄物を埋め立てていくので、廃棄物の埋立安定性が増し、廃棄物を積層して埋め立てても、廃棄物が崩壊し難くなる。また、例えば、次の廃棄物処理予定区域を造成する間に廃棄物を通過する浸出水の量を減らすことができて、水浄化処理の必要な浸出水の量を減らせることになり、水浄化処理施設の規模を小さくできるので、水浄化処理のコストを削減できる。
請求項２では、請求項１と同様に、廃棄物の埋立安定性が増し、廃棄物を積層して埋め立てても、廃棄物が崩壊し難くなる。また、一又は複数の廃棄物処理予定区域に廃棄物を埋め立てた後、他の廃棄物処理予定区域に廃棄物の埋め立てを行っている間に廃棄物を通過する浸出水の量を減らすことができて、水浄化処理の必要な浸出水の量を減らせることになり、水浄化処理施設の規模を小さくできるので、水浄化処理のコストを削減できる。
請求項３では、請求項１と同様に、廃棄物の埋立安定性が増し、廃棄物を積層して埋め立てても、廃棄物が崩壊し難くなる。また、一又は複数の廃棄物処理予定区域に廃棄物を埋め立てた後、隣接する廃棄物処理予定区域に廃棄物の埋め立てを行っている間に廃棄物を通過する浸出水の量を減らすことができて、水浄化処理の必要な浸出水の量を減らせることになり、水浄化処理施設の規模を小さくできるので、水浄化処理のコストを削減できる。
請求項４では、凹地に形成された廃棄物処分場において、廃棄物の埋立安定性が増し、廃棄物を積層して埋め立てても、廃棄物が崩壊し難くなる。また、一方の斜面側に形成された廃棄物処理予定区域に廃棄物を埋め立てた後、他方の斜面側に形成された廃棄物処理予定区域に廃棄物の埋め立てを行っている間に廃棄物を通過する浸出水の量を減らすことができて、水浄化処理の必要な浸出水の量を減らせることになり、水浄化処理施設の規模を小さくできるので、水浄化処理のコストを削減できる。
請求項５では、凹地に形成された廃棄物処分場において、廃棄物の埋立安定性が増し、廃棄物を積層して埋め立てても、廃棄物が崩壊し難くなる。また、一方の斜面側に形成された廃棄物処理予定区域に廃棄物を埋め立てた後、隣接する廃棄物処理予定区域に廃棄物の埋め立てを行っている間に廃棄物を通過する浸出水の量を減らすことができて、水浄化処理の必要な浸出水の量を減らせることになり、水浄化処理施設の規模を小さくできるので、水浄化処理のコストを削減できる。また、他方の斜面側の廃棄物処理予定区域に対する廃棄物の埋め立てと上層の廃棄物処理予定区域の造成作業とを並行して行えるので、効率的な廃棄物処理が可能となる。
請求項６では、各廃棄物処理予定区域毎に雨水排水設備を設けたので、雨水排水処理がスムーズに行われる。
請求項７では、区画堤により雨水排水処理がスムーズに行われる。
請求項８では、浸出水を雨水排水設備を介して排水させないようにでき、浸出水を浸出水集排水設備に送ることができる。
請求項９では、遮水シートにより雨水排水効率がよくなり、また、遮水シートを取り除くことで、浸出水を浸出水集排水設備に送ることができる。
請求項１０では、遮水シートにより雨水排水効率がよくなり、また、遮水シートを破くことで、浸出水を浸出水集排水設備に送ることができる。
請求項１１では、経時的に遮水性の低下するシートを覆体として用いたことで、雨水排水効率を向上でき、しかも、浸出水降下処理を行わずして、浸出水を浸出水集排水設備に送ることができる。即ち、遮水シートを用いる場合に比べて、上層の廃棄物処理予定区域に廃棄物の埋め立てを行う前にいちいち遮水シートを取り除く等の作業を省けるようになり、作業手間を少なくできる。
請求項１２では、覆土を覆体として用いたことで、雨水排水を行えるとともに、浸出水降下処理を行わずして、浸出水を浸出水集排水設備に送ることができる。即ち、遮水シートを用いる場合に比べて、上層の廃棄物処理予定区域に廃棄物の埋め立てを行う前にいちいち遮水シートを取り除く等の作業を省けるようになり、作業手間を少なくできる。
【発明を実施するための最良の形態】
【０００６】
実施の形態１
図１（ａ）は斜面と斜面との間に挟まれた山間等の凹地に造成された廃棄物処分場の平面図、図１（ｂ）は図１（ａ）のＡ−Ａ断面図、図２〜図４は廃棄物処理方法を示す図である。尚、図２〜図４は図１（ａ）のＡ−Ａ断面で示している。
例えば、図１に示すように、斜面Ｘと斜面Ｙとの間に挟まれた山間等の凹地の底において、土堰堤やコンクリート堰堤等で形成された区画堤１ａ，１ｂ，１ｃにより２つの廃棄物処理予定区域２，３が区画形成されている廃棄物処分場１を例にして説明する。２つの廃棄物処理予定区域２，３の底部には例えば集排水管等で形成された浸出水集排水設備４がそれぞれ設けられている。従って、廃棄物処分場１に埋め立てられる廃棄物からの浸出水が浸出水集排水設備４により集排水されて廃棄物処分場１外の図外の水浄化処理施設に送られる。尚、廃棄物からの浸出水とは、埋め立てた廃棄物から流出したり、廃棄物中を通過した水であり、水浄化処理の必要な水である。区画堤１ａの上面には排水溝５ａが、区画堤１ｂの上面には排水溝５ｂが、区画堤１ｃの上面には排水溝５ｃが形成されており、これら排水溝５ａ，５ｂ，５ｃは互いに繋げられている。この排水溝５ａ〜５ｃは例えばＵ字溝に形成すればよい。区画堤１ｂの排水溝５ｂと区画堤１ｃの排水溝５ｃのうちの少なくとも一方には例えばＵ字管よりなる排水路５０が接続されている。従って、雨水は排水溝５ａ〜５ｃから排水路５０に流れて廃棄物処分場１外の図外の防災調整池等の雨水貯留部へと流れる。よって、後述する覆体の表面を流れる雨水は、雨水排水設備としての排水溝５ａ〜５ａ及び排水路５０を経由して、あるいは、雨水排水設備としての後述の排水溝５１〜５６、排水溝５ａ〜５ｃ及び排水路５０を経由して雨水貯留部に送られる。廃棄物処理予定区域２，３の底部には遮水シート６が敷かれ、浸出水集排水設備４を覆うように保護土７が設けられている。尚、廃棄物が埋め立てられていない廃棄物処理予定区域２，３では、浸出水集排水設備４の経路を切り換えることにより一時的に浸出水集排水設備４を雨水の排水管として利用して雨水を雨水貯留部に送る。従って、廃棄物が埋め立てられていない廃棄物処理予定区域２，３では、雨水は廃棄物を通過しないため、水浄化処理が不要となり、水浄化処理施設に送られることなく、雨水貯留部に送られる。
【０００７】
以下、廃棄物処理方法を図２〜図４に基いて説明する。尚、図２〜図４では遮水シート６，保護土７の図示は省略している。
まず、図２（ａ）に示すように、一方の斜面Ｘ側に形成された廃棄物処理予定区域２に斜面Ｘに沿って上方向に所定量の廃棄物１０を埋め立てる。そして、図２（ｂ）に示すように、埋め立てた廃棄物１０と斜面Ｘとの境目に凹部を形成してこの凹部内に排水溝５１を設置するとともに、埋め立て後の廃棄物１０の上に廃棄物１０を覆う覆体としての遮水シート１１を設ける。排水溝５１の両端は区画堤１ｂ，１ｃの排水溝５ｂ，５ｃに延長するように設置される。遮水シート１１の端部は排水溝５１内，排水溝５ａ〜５ｃ内に入れ、この遮水シート１１上を流れる雨水を雨水排水設備としての排水溝５１，排水溝５ａ〜５ｃ，排水路５０を介して雨水貯留部に流すようにする。当該排水溝５１及び後述する排水溝５２〜５６は例えば樹脂，金属等で形成された排水Ｕ字溝管等を用いればよい。これにより、廃棄物処理予定区域２に埋め立てられた廃棄物１０の上にさらに廃棄物１０を埋め立てるまでの間に遮水シート１１上に降る雨水は遮水シート１１の表面を介して区画堤１ａの排水溝５ａ、あるいは、排水溝５１を介して区画堤１ｂ，１ｃの排水溝５ｂ，５ｃへと流れ、排水路５０を介して雨水貯留部へと流れる。従って、遮水シート１１上に降る雨水は廃棄物１０中を通過しないので、水浄化処理の必要な浸出水の量を減らせる。
【０００８】
そして、図２（ｃ）に示すように他方の斜面Ｙ側に形成された廃棄物処理予定区域３に斜面Ｙに沿って上方向に所定量の廃棄物１０ａを埋め立てる。
その後、図３（ａ）に示すように、埋め立てられた廃棄物１０ａと斜面Ｙとの境目に凹部を形成してこの凹部に上述した排水溝５１と同様の排水溝５２を設置するとともに、この埋め立てられた廃棄物１０ａの上に遮水シート１１ａを設ける。この際、一方の斜面Ｘ側の廃棄物処理予定区域２に埋め立てられた廃棄物１０の斜面１０Ｘと対向する他方の斜面Ｙ側の廃棄物処理予定区域３に埋め立てられた廃棄物１０ａの斜面１０Ｙには遮水シート１１ａを設けず、かつ、一方の斜面Ｘ側の廃棄物処理予定区域２に埋め立てられた廃棄物１０の斜面１０Ｘ上に対応していた遮水シート１１の部分は取り除く。また、区画堤１ａの排水溝５ａは図外の蓋などで塞ぐ。
【０００９】
その後、図３（ｂ）に示すように一方の斜面Ｘ側の廃棄物処理予定区域２に埋め立てられた廃棄物１０の斜面１０Ｘと他方の斜面Ｙ側の廃棄物処理予定区域３に埋め立てられた廃棄物１０ａの斜面１０Ｙとの間の区域１００に所定量の廃棄物１０ｂを埋め立てた後に、この埋め立て後の廃棄物１０ｂの上に遮水シート１１ｂを設ける。この際、排水溝５ａを蓋などで塞いでいるので、廃棄物１０ｂからの浸出水は排水溝５ａ内に入り込まず、廃棄物１０ｂからの浸出水は廃棄物１０又は廃棄物１０ａを通過して廃棄物処理予定区域２，３の底部に設けられている浸出水集排水設備４により集排水され、水浄化処理施設へと流れる。また、区域１００に廃棄物１０ｂの埋め立てを行っている間に遮水シート１１上に降る雨水は排水溝５１，排水溝５ａ〜５ｃ，排水路５０を介して雨水貯留部へと流れ、また、遮水シート１１ａ上に降る雨水は排水溝５２，排水溝５ａ〜５ｃ，排水路５０を介して雨水貯留部へと流れる。また、遮水シート１１ｂ上に降る雨水は排水溝５１，５２，排水溝５ａ〜５ｃ，排水路５０を介して雨水貯留部へと流れる。よって、区域１００に廃棄物１０ｂの埋め立てを行っている間に遮水シート１１，１１ａ上に降る雨水は廃棄物１０，１０ａ中を通過しないので、水浄化処理の必要な浸出水の量を減らせる。
【００１０】
次に、図３（ｃ）に示すように、一方の斜面Ｘ側の廃棄物処理予定区域２に埋め立てられた廃棄物１０の上に設けられていた遮水シート１１を取り除いて、斜面Ｘ側に近い廃棄物１０ｂの上に新たな区画堤１０１を形成し、新たな廃棄物処理予定区域１１０を形成する。この際、新たな区画堤１０１の斜面Ｙ側においてこの区画堤１０１の近傍の廃棄物１０ｂ上にこの区画堤１０１に沿うように凹部を形成してこの凹部に雨水排水設備としての排水溝５３が設置されるとともに、排水溝５３の両端は区画堤１ｂ，１ｃの排水溝５ｂ，５ｃに延長するように設置される。そして、遮水シート１１ｂの一端を排水溝５３内に入れ、この遮水シート１１ｂ上を流れる雨水を当該排水溝５３、排水溝５ａ〜５ｃ、排水路５０を介して雨水貯留部に流すようにする。また、埋め立てた廃棄物１０の上部において横に延長するように配置されていた排水溝５１の部分は図外の蓋などで塞いだり、取り除いたりする。尚、斜面Ｘの上下方向に延長するように設けられ排水溝５ｂ，５ｃと繋がれていた排水溝５１の両側の縦接続部分は残し、この縦接続部分と後述する排水溝５４とを繋げる。
【００１１】
そして、図４（ａ）に示すように、新たな区画堤１０１により区画形成された斜面Ｙ側の新たな廃棄物処理予定区域１１０に所定量の廃棄物１０ｃを埋め立てた後に、埋め立てられた廃棄物１０ｃと斜面Ｘとの境目に沿うように凹部を形成してこの凹部に排水溝５４を設置するとともに、埋め立てた廃棄物１０ｃの上に遮水シート１１ｃを設ける。排水溝５４の両端は上述のように残しておいた斜面Ｘの上下方向に延長する排水溝５１の両側の縦接続部分の上端に繋げる。また、遮水シート１１ｃの端部は排水溝５４内，排水溝５３内，残しておいた排水溝５１内，排水溝５ｂ，５ｃ内に入れ、この遮水シート１１ｃ上を流れる雨水を雨水排水設備としての排水溝５４，５３，５１，排水溝５ａ〜５ｃ，排水路５０を介して雨水貯留部に流すようにする。
従って、遮水シート１１ａ，１１ｂ，１１ｃ上を流れる雨水は雨水排水設備を介して雨水貯留部に流れ、廃棄物中を通過しないので、水浄化処理の必要な浸出水の量を減らせることになる。
【００１２】
次に、図４（ｂ）に示すように、廃棄物１０ａ，１０ｂの上に設けられていた遮水シート１１ａ，１１ｂを取り除いて、斜面Ｙ側に近い廃棄物１０ｂの上に新たな区画堤１０２を形成し、新たな廃棄物処理予定区域１２０を形成する。
そして、新たな区画堤１０２の斜面Ｙ側においてこの区画堤１０２の近傍の廃棄物１０ｂ上に凹部を形成してこの区画堤１０２に沿うように雨水排水設備としての排水溝５５を設置する。この排水溝５５の両端は区画堤１ｂ，１ｃの排水溝５ｂ，５ｃに延長するように設置される。そして、排水溝５３と排水溝５５との間の廃棄物１０ｂの上に遮水シート１１ｄを設けておいてから、新たな廃棄物処理予定区域１２０に所定量の廃棄物１０ｄを埋め立てる。従って、新たな廃棄物処理予定区域１２０への廃棄物１０ｄの埋め立て中に遮水シート１１ｄ上に降る雨水は雨水排水設備としての排水溝５３，５５，排水溝５ａ〜５ｃ，排水路５０を介して雨水貯留部に流れ、廃棄物１０ｂ中を通過しないので、水浄化処理の必要な浸出水の量を減らせることになり、水浄化処理施設の規模を小さくできる。そして、埋め立てられた廃棄物１０ｄと斜面Ｙとの境目に凹部を形成してこの凹部に上述した排水溝５４と同様の排水溝５６を設置するとともに、埋め立てた廃棄物１０ｄの上に遮水シート１１ｅを設ける。この際、埋め立てられた廃棄物１０ｄの斜面１００Ｙと廃棄物１０ｃの斜面１００Ｘには遮水シートを設けない。尚、排水溝５５を設けずに、遮水シート１１ｄ上に降る雨水を排水溝５３，排水溝５ａ〜５ｃ，排水路５０を介して雨水貯留部に流すようにしてもよい。
【００１３】
そして、図４（ｃ）に示すように、遮水シート１１ｄを取り除き、かつ、廃棄物１０ｂの上部において横に延長するように配置されていた排水溝５３，５５の部分は図外の蓋などで塞いだり、取り除いたりした後に、埋め立ての終了した新たな廃棄物処理予定区域１１０，１２０間の区域２００に所定量の廃棄物１０ｅを埋め立て、この廃棄物１０ｅの上に遮水シート１１ｆを設ける。以後、上記と同様の工程により上方に廃棄物の埋め立て作業を行っていく。尚、廃棄物の埋め立て開始から埋め立て後の廃棄物の上に遮水シートを設けるまでの間に廃棄物の上に降った雨水が廃棄物を通過した分の浸出水、及び、廃棄物から流出する浸出水は浸出水集排水設備４により水浄化処理施設に送られて浄化される。
【００１４】
尚、埋め立てた廃棄物の上に設ける遮水シートは、遮水シートの表面を介して雨水が雨水排水設備にスムーズに流れるように廃棄物の上面に覆土して覆土の表面を傾斜平面にならしてから設けることが望ましい。
【００１５】
実施の形態１によれば、覆体の上に廃棄物を順次埋め立てていくので、廃棄物の埋立安定性が増し、廃棄物を積層して埋め立てても、廃棄物が崩壊し難くなる。また、各埋め立て後に雨水が遮水シートで遮水されて雨水排水設備を介して雨水貯留部に流れ、廃棄物を通過しないので、廃棄物を通過する浄化処理の必要な浸出水の量を減らすことができ、水浄化処理施設の規模を小さくできるので、水浄化処理のコストを削減できる。
また、区画堤の上面及び区画堤に沿って廃棄物の上に各廃棄物処理予定区域毎の雨水排水設備を設けたので、雨水排水処理がスムーズに行われる。また、遮水シートにより雨水排水効率がよくなり、また、遮水シートを取り除くことで、浸出水を浸出水集排水設備４に流すことができ、浸出水の水浄化処理が確実に行われるので環境を損なわない。
尚、実施の形態１では、排水溝５ａを図外の蓋で塞いだので、排水溝５ａを雨水排水溝として利用でき、この排水溝５ａを介して排水溝５ｂから排水溝５ｃ側に接続されている排水路５０に雨水を流すことができ、排水路５０を１個所に集中させることができる。しかし、排水溝５ａの両端側を堰き止め板で堰き止めたり、排水溝５ａをコンクリート等で埋めるようにしてもよい。このようにしても排水溝５ｂ，５ｃに浸出水が流れることがないからである。ただし、この場合、排水溝５ｂにも別途に排水路５０を接続する必要がある。
また、実施の形態１では、排水溝５１〜５６を排水溝５ｂ，５ｃに接続したが、埋め立てた廃棄物の上部においてのみ排水溝５１〜５６を設けるようにし、この排水溝５１〜５６にそれぞれ別途に排水路を繋いで雨水を雨水貯留部に流すようにしてもよい。
【００１６】
実施の形態２
図５に実施の形態２の概要を示す。尚、図１〜図４と同一又は相当部分には同一符号を付し、詳説を省略する。即ち、実施の形態１では、一方の斜面Ｘ側の埋め立てを行った後に、他方の斜面Ｙ側の埋め立てを行っていったが、図５（ａ）〜（ｄ）の順に埋め立てを行っていってもよい。即ち、斜面Ｘ，Ｙ間の底に形成された区画堤１ａ，１ａにより３つの廃棄物処理予定区域２０，３０，４０を形成しておき、一方の斜面Ｘ側の廃棄物処理予定区域２０から隣接する次の廃棄物処理予定区域３０を経て他方の斜面Ｙ側の廃棄物処理予定区域４０に廃棄物の埋め立てを行っていき、その後、埋め立てた廃棄物の上に区画堤１０１を形成していって、多層に廃棄物を埋め立てていくようにしてもよい。このようにしても、実施の形態１と同様な効果が得られるとともに、実施の形態２では、他方の斜面Ｙ側の廃棄物処理予定区域４０に対する廃棄物１０ｂの埋め立てと上の区画堤１０１の造成作業とを並行して行えるので、効率的な廃棄物処理が可能となる。
【００１７】
実施の形態３
図６に実施の形態３の概要を示す。尚、図１〜図４と同一又は相当部分には同一符号を付し、詳説を省略する。即ち、図６に示すように、例えば、一方の斜面Ｘ側においてのみ積層して埋め立てを行う場合、最初に図６（ａ）に示すように区画堤１６で区画形成された１層目の廃棄物処理予定区域６０に対する廃棄物１０の埋め立てが終了した後にこの廃棄物１０の上に遮水シート１１を設けることにより、２層目の廃棄物処理予定区域６１を造成するための区画堤１６ａの造成期間中に遮水シート１１上に降る雨水が廃棄物中を通過することなく排水溝５ａを介して排水できるので、実施の形態１，２と同様な効果が得られるとともに、また、廃棄物の埋め立てと次の層の区画堤の造成を並行して行えるので、効率的な廃棄物処理が可能となる。尚、この場合、２層目の廃棄物処理予定区域を形成するための区画堤１６ａは区画堤１６の上に形成していき、以後の区画堤１６ｂ…も同様に造成していく。
【００１８】
実施の形態４
尚、上記では、上方に埋め立てられた廃棄物からの浸出水が浸出水集排水設備４に流れるように遮水シートを取り除いたが、覆体を覆土により形成すれば、覆土の上に廃棄物を直接埋め立てることができる。この場合でも、雨水の多くは覆土の表面を流れて雨水排水設備に流れるので浸出水の量を減らすことができ、覆土中に浸水した雨水は後に廃棄物中を通過して浸出水集排水設備４に流れる。また、この場合、遮水シートを用いる場合に比べて、上層の廃棄物処理予定区域に廃棄物の埋め立てを行う前にいちいち遮水シートを取り除く作業を省けるようになり、作業手間を少なくできる。即ち、実施の形態１では、覆体として遮水シートを用い、後述する浸出水降下処理としてこの遮水シートを取り除いてから廃棄物の上に廃棄物を埋め立てる例を示したが、覆土を覆体として用いれば、遮水シートの除去作業、即ち、浸出水降下処理を省ける。
【００１９】
実施の形態５
本発明では、雨水排水後に覆体の上に埋め立てられる廃棄物からの浸出水を覆体の下へ通過させる浸出水降下処理を行えばよい。例えば、上述したように、遮水シートを取り除いてから廃棄物の上に廃棄物を埋め立てたり、あるいは、遮水シートを用いて雨水排水後に遮水シートを破いて（例えば遮水シートを切断したり、孔をあけたり、裂いたりする）から廃棄物の上に廃棄物を埋め立てるようにしてもよい。
【００２０】
実施の形態６
また、経時的に遮水性の低下するシート、例えば、生分解性プラスチックで形成したシートを覆体として用いれば、雨水排水効率が良く、また、雨水排水後の浸出水降下処理の手間を省ける。この場合、覆土に比べて、雨水排水効率が良く、遮水シートを用いる場合のシートの取り除きやシートを破く等の浸出水降下処理が不要となる。
【産業上の利用可能性】
【００２１】
雨水排水設備を設けない場合は、覆体上に溜まった水を定期的に吸い取るようにしてもよい。
【図面の簡単な説明】
【００２２】
【図１】実施の形態１の廃棄物処理方法を適用する廃棄物処分場を示す図。
【図２】実施の形態１の廃棄物処理方法の施工順序を示す図。
【図３】実施の形態１の廃棄物処理方法の施工順序を示す図。
【図４】実施の形態１の廃棄物処理方法の施工順序を示す図。
【図５】実施の形態２の廃棄物処理方法の施工順序を示す図。
【図６】実施の形態３の廃棄物処理方法の施工順序を示す図。
【符号の説明】
【００２３】
１ａ〜１ｃ  区画堤、２，３  廃棄物処理予定区域、５ａ〜５ｃ  排水溝（雨水排水設備）、１０，１０ａ〜１０ｅ  埋め立てた廃棄物、１１，１１ａ〜１１ｅ  遮水シート（覆体）、１００，２００  区域、１１０，１２０  新たな廃棄物処理予定区域、
Ｘ  一方の斜面、Ｙ  他方の斜面。
【図１】
2005087793.tif 000003
【図２】
2005087793.tif 000004
【図３】
2005087793.tif 000005
【図４】
2005087793.tif 000006
【図５】
2005087793.tif 000007
【図６】
2005087793.tif 000008